(57)【要約】【課題】複雑な設定操作を行うことなく簡便な操作で、タイマ機能で再生するユーザの嗜好に合ったコンテンツを登録できる再生装置を実現すること。【解決手段】  コンテンツの再生制御を予め定められた時間に行う再生装置において、ユーザ操作に応じて前記再生制御するコンテンツを選択し、その選択されたコンテンツの再生制御を行うと共に、そのコンテンツデータをメモリに記憶し、その記憶されたコンテンツデータのメモリへの記憶先を示す再生リストを作成する。【選択図】図１
2008103045.tif 000002
【特許請求の範囲】
【請求項１】
コンテンツの再生制御を予め定められた時間に行う再生装置において、
ユーザ操作に応じて前記再生制御するコンテンツを選択する選択手段と、
前記選択手段により選択されたコンテンツの再生制御を行うと共に、そのコンテンツデータを所定のメモリに記憶する再生制御手段と、
前記再生制御手段により記憶されたコンテンツデータの前記メモリへの記憶先を示す再生リストを作成する作成手段と、
を備えることを特徴とする再生装置。
【請求項２】
前記選択手段は、
前記コンテンツの再生元となるメディアを選択するメディア選択手段を有し、
前記再生制御手段は、
前記メディア選択手段により選択されたメディアが前記メモリである場合に、前記再生リストに基づいて前記コンテンツデータをそのメモリから読み出して再生し、当該メディアが外部メディアである場合に、その外部メディアからコンテンツの再生制御を行うと共にそのコンテンツデータを前記メモリに記憶するメディア再生制御手段を有することを特徴とする請求項１に記載の再生装置。
【請求項３】
前記再生制御手段は、
前記メモリにコンテンツデータを記憶する際に、その記憶するコンテンツと同一のコンテンツが当該メモリに記憶されているか否かを判定する判定手段と、
前記判定手段により同一のコンテンツが記憶されていないと判定された場合に、そのコンテンツデータを前記メモリに記憶する記憶制御手段と、
を有することを特徴とする請求項１又は２に記載の再生装置。
【請求項４】
前記リスト作成手段は、
前記再生制御する時刻の時刻情報を前記再生リストに対応付けて当該再生リストを作成する時刻リスト作成手段を有し、
前記再生制御手段は、
現在時刻を計時する計時手段と、
前記再生リストに対応付けられた時刻情報に基づく時刻に前記計時手段により計時された現在時刻が到達した場合に、その時刻情報に対応付けられた再生リストに基づいてコンテンツデータを前記メモリから読み出して再生するタイマ再生制御手段と、
を有することを特徴とする請求項１〜３の何れか一項に記載の再生装置。
【請求項５】
コンテンツの再生制御を予め定められた時間に行う再生方法において、
ユーザ操作に応じて前記再生制御するコンテンツを選択する選択工程と、
前記選択工程において選択されたコンテンツの再生制御を行うと共に、そのコンテンツデータを所定のメモリに記憶する再生制御工程と、
前記再生制御工程において記憶されたコンテンツデータの前記メモリへの記憶先を示す再生リストを作成する作成工程と、
を含むことを特徴とする再生方法。
【発明の詳細な説明】
【技術分野】
【０００１】
本発明は、コンテンツの再生制御を予め定められた時間に行う再生装置及び再生方法に関する。
【背景技術】
【０００２】
テレビ放送やラジオ放送、ＣＤやＭＤ、ＤＶＤ等の各種メディアから音楽や動画等の様々なコンテンツを再生する再生装置において、近年は、ＨＤＤや半導体記憶素子といった大容量データの記憶が可能な記憶装置が内蔵されたものが開発されている。以下、ＨＤＤや半導体記憶素子を用いた記録媒体を「メモリ」と総称する。
【０００３】
再生装置は、例えば、チューナから出力される放送、ＣＤプレーヤやＭＤプレーヤ等から出力される音声を、例えば、ＭＰ３（MPEG Audio Layer-3）、ＷＭＡ(Windows(登録商標) Media Audio)、ＡＴＲＡＣ（Adoptive Transform Acoustic Coding）、ＷＡＶ（WAVE）、ＡＡＣ（Advanced Audio Coding）等の音楽ファイル形式で録音してメモリに記憶し、その録音したコンテンツを再生することができる。以下、メモリに記憶するコンテンツのデータを「コンテンツデータ」という。
【０００４】
近年のメモリは、大容量化並びに低廉化が進んでいるため、膨大なコンテンツデータを記憶することができる。このようなメモリを内蔵した再生装置には、利便性を向上させる種々の機能が設けられている。その機能の一つとして、ユーザにより予め設定された定時間にコンテンツデータを再生したり、その再生を停止するタイマ機能が挙げられる。例えば、特許文献１には、所定の時間帯毎に再生する音楽情報（コンテンツデータ）を自動的に切り替えて再生する技術が開示されている。
【０００５】
より詳細には、各音楽情報のそれぞれに、当該音楽情報の“ジャンル”や当該音楽情報の曲調等の情報を示す“コメント”の情報を予め付加させておき、このジャンルやコメントに基づいて所定の時間帯に再生する音楽情報を設定する。例えば、午前中の時間帯に「ジャンル＝ポップス」、「コメント＝爽やか」といったように設定しておくことで、ジャンルがポップスでコメントが爽やかという情報が付加された音楽情報を記録媒体上から読み出し所定の時間帯に順次再生を行う。
【０００６】
また、タイマ機能を利用した他の技術例として、いわゆる「タイマ再生開始機能」や「タイマ再生停止機能」が知られている。タイマ再生開始機能とは、ユーザが所望する時刻に予め設定されたコンテンツの再生を開始する機能であり、タイマ再生停止機能とは、ユーザが所望する時間が経過した際にコンテンツの再生を停止（あるいは電源のＯＦＦ）する機能である。
【特許文献１】特開２００２−４９３９１号公報
【発明の開示】
【発明が解決しようとする課題】
【０００７】
ところで、タイマ再生開始機能やタイマ再生停止機能といったタイマ機能で再生制御するコンテンツデータは、これら機能の設定時にユーザ自身の手により手動で設定されるものであり、その設定操作に手間が掛かる。例えば、タイマ再生開始機能を設定する場合、ユーザは、先ず再生の開始時刻を設定し、その後、コンテンツデータをメモリから指定するという操作を行わなければならない。このため、メモリ内に多くのコンテンツデータが記憶されていれば、その中から所望するコンテンツデータを指定するのは非常に煩雑である。
【０００８】
特に、再生するメディアがＣＤやＭＤ、ＤＶＤ等の外部のメディアである場合、タイマ機能を利用する度にＣＤ、ＭＤ、ＤＶＤ等のメディアの装填を逐次行わなければならなく、とても煩雑である。また、システムオーディオ等は、表示部のエリアが狭いことが多く、このような表示部で所望のコンテンツを検索して指定するのは、利便性が悪い。
【０００９】
この点、特許文献１に開示される発明のように、各音楽情報にジャンルやコメントといったカテゴリーの付加情報を持たせ、この付加情報をユーザが指定することで、コンテンツを逐次選択する煩雑な設定操作を行うことなく、その付加情報に対応するコンテンツを再生させることができる。
【００１０】
しかしながら、ユーザが所望するコンテンツが常に同一であるとは限らず、前回と異なるジャンルや曲調のコンテンツの再生を所望することも考えられる。これに対しては、各コンテンツデータに付加する付加情報の種類を増やし、タイマ機能の設定時に、より詳細に付加情報の指定を行うことで、ユーザの目的に沿ったコンテンツを再生することができるともいえる。
【００１１】
しかしながら、付加情報の種類を増やす程、各コンテンツデータの全てに対して付加情報を付与する手間や、タイマ機能による再生時にその付加情報を指定するといった手間が煩雑となり、設定操作における利便性が低下することが考えられる。
【００１２】
本発明は、このような課題に鑑みてなされたものであり、その目的とするところは、複雑な設定操作を行うことなく簡便な操作で、タイマ機能で再生するユーザの嗜好に合ったコンテンツを登録できる再生装置を実現することである。
【課題を解決するための手段】
【００１３】
上記課題を解決するため、請求項１に記載の発明は、
コンテンツの再生制御を予め定められた時間に行う再生装置において、
ユーザ操作に応じて前記再生制御するコンテンツを選択する選択手段と、
前記選択手段により選択されたコンテンツの再生制御を行うと共に、そのコンテンツデータを所定のメモリに記憶する再生制御手段と、
前記再生制御手段により記憶されたコンテンツデータの前記メモリへの記憶先を示す再生リストを作成する作成手段と、
を備えることを特徴としている。
【００１４】
請求項２に記載の発明は、請求項１に記載の発明において、
前記選択手段は、
前記コンテンツの再生元となるメディアを選択するメディア選択手段を有し、
前記再生制御手段は、
前記メディア選択手段により選択されたメディアが前記メモリである場合に、前記再生リストに基づいて前記コンテンツデータをそのメモリから読み出して再生し、当該メディアが外部メディアである場合に、その外部メディアからコンテンツの再生制御を行うと共にそのコンテンツデータを前記メモリに記憶するメディア再生制御手段を有することを特徴としている。
【００１５】
請求項３に記載の発明は、請求項１又は２に記載の発明において、
前記再生制御手段は、
前記メモリにコンテンツデータを記憶する際に、その記憶するコンテンツと同一のコンテンツが当該メモリに記憶されているか否かを判定する判定手段と、
前記判定手段により同一のコンテンツが記憶されていないと判定された場合に、そのコンテンツデータを前記メモリに記憶する記憶制御手段と、
を有することを特徴としている。
【００１６】
請求項４に記載の発明は、請求項１〜３の何れか一項に記載の発明において、
前記リスト作成手段は、
前記再生制御する時刻の時刻情報を前記再生リストに対応付けて当該再生リストを作成する時刻リスト作成手段を有し、
前記再生制御手段は、
現在時刻を計時する計時手段と、
前記再生リストに対応付けられた時刻情報に基づく時刻に前記計時手段により計時された現在時刻が到達した場合に、その時刻情報に対応付けられた再生リストに基づいてコンテンツデータを前記メモリから読み出して再生するタイマ再生制御手段と、
を有することを特徴としている。
【００１７】
請求項５に記載の発明は、
コンテンツの再生制御を予め定められた時間に行う再生方法において、
ユーザ操作に応じて前記再生制御するコンテンツを選択する選択工程と、
前記選択工程において選択されたコンテンツの再生制御を行うと共に、そのコンテンツデータを所定のメモリに記憶する再生制御工程と、
前記再生制御工程において記憶されたコンテンツデータの前記メモリへの記憶先を示す再生リストを作成する作成工程と、
を含むことを特徴としている。
【発明の効果】
【００１８】
本発明によれば、複雑な設定操作を行うことなく簡便な操作で、タイマ機能で再生するユーザの嗜好に合ったコンテンツを登録できる再生装置を実現することができる。
【発明を実施するための最良の形態】
【００１９】
次に、図を用いて本発明を適用したメモリ内蔵型オーディオプレーヤ（以下「オーディオプレーヤ」と略す）１について説明する。尚、本実施形態においてオーディオプレーヤ１は、チューナやＣＤ、ＭＤ等からの音声を再生出力することとして説明するが、例えば、テレビチューナやＤＶＤプレーヤからの動画等の他のコンテンツを再生出力することとしてもよく、再生出力するコンテンツの適用可能範囲は本実施形態に限られない。
【００２０】
図１は、オーディオプレーヤ１のブロック図である。図１によれば、オーディオプレーヤ１は、制御部２、内蔵メモリ９、チューナ再生部１０、ＣＤ再生部１１、ＭＤ再生部１２、音楽ファイルデコード／再生部１３、音声信号セレクタ２０、コンテンツ管理部２１、音楽ファイルエンコード部２２、アンプ部２３、操作入力部２５、表示部２６及びスピーカ２７を備える。
【００２１】
制御部２は、更に、ＵＩ（User Interface）制御部３、再生制御部４、録音制御部５及びセレクタ制御部６の各制御機能部を有し、これらは図示しない制御プログラムの指示に従い各種制御機能を司る。
【００２２】
ＵＩ制御部３は、操作入力部２５を介してユーザから入力される各種の指示信号に基づいて再生制御部４、録音制御部５、セレクタ制御部６に操作指示信号を出力したり、表示部２６に各種の操作案内、機能設定、再生／録音時間、音声データのタイトルやアーティスト名等を表示させたりする機能部である。
【００２３】
特に、本実施の形態においてＵＩ制御部３は、日時を計時する機能部である時計部８と、この時計部８から出力される信号に基づいて電源２９のＯＮ／ＯＦＦ制御や音声データの再生／停止制御を行うタイマ再生制御部７とを有する。
【００２４】
再生制御部４は、ＵＩ制御部らの指示に基づいて音声の再生、早送り、早戻し、早送り再生、早戻し再生、一時停止、選曲スキップ等、音声再生に関する制御を行う機能部である。
【００２５】
録音制御部５は、チューナ再生部１０やＣＤ再生部１１、ＭＤ再生部１２により再生出力された音声の録音を制御する機能部であり、ＵＩ制御部３からの指示に基づいて音声ファイルエンコード部２２を制御して、音声信号セレクタＤＡＣ／ＡＤＣ部２０から出力されたデジタルの音声データを音声ファイルエンコード部２２に所定のデータ形式にエンコードさせて内蔵メモリ９に記憶させる制御を行う。
【００２６】
セレクタ制御部６は、音声信号セレクタＤＡＣ／ＡＤＣ部２０が選択する再生部の切り替えを制御する機能部であり、ＵＩ制御部３の指示に基づいてチューナ再生部１０、ＣＤ再生部１１、ＭＤ再生部１２及び音楽ファイルデコード／再生部１３の何れかを選択させて音声ファイルエンコード部２２又はアンプ部２３に出力する音声データの切替制御を行う。  
【００２７】
操作入力部２５は、オーディオプレーヤ１の本体筐体に設けられた各種のボタンやスイッチあるいは赤外線式のリモートコントローラ等を介して入力される信号を所定の操作信号としてタイマ再生制御部７に入力するユーザインターフェースである。
【００２８】
表示部２６は、ＬＣＤ（Liquid Crystal Display）や有機ＥＬを用いたディスプレイからなり、各種の設定や操作案内、更には、後述する「タイマ処理」において、再生開始及び／又は停止設定、選曲設定等の設定画面を表示するようになっている。
【００２９】
チューナ再生部１０は、ＡＭ、ＦＭ、テレビジョン等のキャリア放送電波を受信して音声信号を出力するチューナである。ＣＤ再生部１１は、コンパクトディスクから音声データを読み出して出力する再生装置であり、ＭＤ再生部１２は、ミニディスクから音声データを読み出して出力する再生装置である。  
【００３０】
音声ファイルデコード／再生部１３は、内蔵メモリ９に記憶された音声データをデコードして出力する再生装置である。内蔵メモリ９から読み出す音声データファイルはコンテンツ管理部２１に記録されているファイル管理テーブルを参照することにより行われる。
【００３１】
音声信号セレクタＤＡＣ／ＡＤＣ部２０は、セレクタ制御部６からの指示に基づいてチューナ再生部１０、ＣＤ再生部１１、ＭＤ再生部１２及び音声ファイルデコード／再生部１３の何れかを選択し、音声信号をアンプ部２３に、音声データを音声ファイルエンコード部２２に出力する。
【００３２】
具体的には、チューナ再生部１０を選択した際には、当該チューナ再生部１０から出力されるアナログの音声信号をアンプ部２３に出力して音声出力させ、録音する場合には、Ａ／Ｄ変換して音声ファイルエンコード部２２に出力する。
【００３３】
また、ＣＤ再生部１１、ＭＤ再生部１２及び音声ファイルデコード／再生部１３の何れかを選択した際には、それらの再生部から出力されるデジタルの音声データをＤ／Ａ変換してアンプ部２３に出力し、録音する際には、そのまま音声ファイルエンコード部２２に出力する。
【００３４】
音声ファイルエンコード部２２は、音声信号セレクタＤＡＣ／ＡＤＣ部２０から出力される音声データを所定のデータ形式（例えば、ＭＰ３、ＷＭＡ、ＡＴＲＡＣ、ＷＡＶ又はＡＡＣ等の各種形式）にエンコードして、内蔵メモリ９に記憶させる。
【００３５】
電源２９は、ＵＩ制御部３からの指示信号に基づいて、コンセントプラグや電源電池から入力された電力を各機能部に供給し、図示しない切替スイッチにより各部へ導通／遮断が可能になっている。特に、電源２９は、制御部又は制御部の一部にのみ電力を供給させることで、オーディオプレーヤ１をいわゆるスタンバイ状態やサスペンド状態に移行させることができる。
【００３６】
内蔵メモリ９は、ハードディスクやフラッシュメモリ等の不揮発性の半導体メモリから構成される。本実施の形態では、ハードディスクを適用した例について説明する。内蔵メモリ９には、チューナ再生部１０、ＣＤ再生部１１、ＭＤ再生部１２から録音された音声データを所定形式の音声データのファイル（以下、「コンテンツファイル」という）として格納する。
【００３７】
図２に示すように、コンテンツファイルはツリー構造により格納されている。図２によれば、プレイリストフォルダ３０の下位層に、例えばアーティスト毎や音楽ジャンル毎の第１フォルダ３５や第２フォルダ３６が格納され、それぞれのフォルダの中に個別のコンテンツファイルＡ４０、Ｂ４１、Ｃ４２、Ｄ４３、Ｅ４４、Ｆ４５及びＧ４６が格納される。
【００３８】
また、内蔵メモリ９のプレイリストフォルダ３０の下位層には、タイマ再生リスト７０としてのおはようリスト５０とおやすみリスト６０がファイルとして格納される。タイマ再生リストは、時計部８が計時する時刻に基づいてコンテンツの再生を制御するタイマ機能において、その再生するコンテンツのデータリストであり、おはようリスト５０には、タイマ再生開始機能により再生するコンテンツファイルのパスが記憶される。また、おやすみリスト６０には、タイマ再生停止機能により再生するコンテンツファイルのパスが記憶される。
【００３９】
〔第１実施形態〕
次に、オーディオプレーヤ１の第１実施形態について説明する。図３（ａ）は、第１実施形態におけるタイマ再生リスト７０の模式図である。図３（ａ）によれば、タイマ再生リスト７０には、コンテンツファイルのパスが再生順に記憶されている。タイマ機能による再生時には、そのコンテンツファイルのパスに基づいて、該当するコンテンツファイルを再生順に読み出し再生を行う。
【００４０】
例えば、時計部８が計時する時刻がユーザにより設定された再生開始時刻に到達すると、タイマ再生制御部７は、おはようリスト５０から再生順に記憶されたパスを順に読み出す。そして、そのパスで示されるコンテンツファイルをプレイリストフォルダ３０内から検索して読み出し再生する。図３（ａ）に示すタイマ再生リスト７０の場合には、コンテンツファイルＢ、Ｆ、Ｇ、Ｄ、Ａ・・・の順に読み出されて再生される。
【００４１】
尚、図３（ａ）に図示したタイマ再生リスト７０は、おはようリスト５０及びおやすみリスト６０と同一のデータ構成であり、それらの図示及び説明は省略する。
【００４２】
タイマ再生リスト７０へのコンテンツファイルの登録は、ユーザの設定操作に基づいた登録と、タイマ機能時の再生に基づいた登録とが行われる。ユーザの設定操作に基づいた登録は、例えば、コンテンツの再生中に所定の操作（例えば、メニュー画面内のタイマ再生登録ボタンの指定操作）が行われた際に、タイマ再生リストにそのコンテンツファイルのパスを記憶することにより行われる。また、コンテンツファイルを一覧表示するユーザインターフェースの中からユーザにより選択されたコンテンツファイルのパスをタイマ再生リストに記憶することで行われる。
【００４３】
これに対し、タイマ機能時の再生に基づいた登録は、タイマ再生開始機能やタイマ再生停止機能において再生中のコンテンツファイルのパスをタイマ再生リストに記憶することにより行われる。タイマ機能についての詳細な設定は、ユーザにより予め行われ、図３（ｂ）に示すタイマ再生設定情報８０に記憶される。タイマ再生設定情報８０は、タイマ再生制御部７が有するメモリに記憶され、図３（ｂ）に示すようにタイマ再生フラグ８１、再生開始時刻８２、再生時間８３、再生ソース８４及び自動録音フラグ８５を有する。
【００４４】
タイマ再生フラグ８１は、タイマ再生開始機能を有効に機能させるか否かを示すフラグである。再生開始時刻８２は、タイマ再生開始機能によるコンテンツの再生を開始する時刻である。再生時間８３は、タイマ機能による再生を継続する時間である。再生ソース８４は、コンテンツの再生元となるメディアを示す情報であり、例えば、チューナやＣＤ、ＭＤ、内蔵メモリ９等を示す。自動録音フラグ８５は、タイマ機能により再生しているコンテンツをタイマ再生リストに登録するか否かを示すフラグである。
【００４５】
この自動録音フラグ７５がＯＮであり、再生ソース７４が内蔵メモリ９以外のチューナ、ＣＤ及びＭＤの何れかに設定されている場合、タイマ再生制御部７は、タイマ機能により再生するコンテンツを録音してコンテンツファイルを内蔵メモリ９に記憶すると共に、そのコンテンツファイルのパスをタイマ再生リストに記憶する。尚、図３（ｂ）に示すタイマ再生設定情報８０は、タイマ再生開始機能とタイマ再生停止機能とのそれぞれに個別に設けることとしてもよい。
【００４６】
図４は、第１実施形態におけるオーディオプレーヤ１のタイマ処理を示すフローチャートである。この図４を参照して、メモリ内蔵型オーディオプレーヤ１の具体的な動作を説明する。
【００４７】
先ず、スタンバイ状態において、電源２９からの電力がＵＩ制御部３に投入され、時計部８による時刻の計時やその時刻の監視が行われる。タイマ再生制御部７は、タイマ再生フラグ８１がＯＮである場合に（ステップＳ１；ＹＥＳ）、時計部８が計時する時刻が再生開始時刻８２に到達したか否かを判定する（ステップＳ２）。この再生開始時刻８２に到達した場合には（ステップＳ２；ＹＥＳ）、オーディオプレーヤ１の電源を投入して（ステップＳ３）、ステップＳ４に処理を移行する。
【００４８】
また、一方、通常の起動中に、ユーザにより例えばスリープボタンを押下された場合には、タイマ再生停止機能が指定されたと判定して（ステップＳ１９；ＹＥＳ）、ステップＳ４に処理を移行する。
【００４９】
ステップＳ４においてタイマ再生制御部７は、音声信号セレクタＤＡＣ／ＡＤＣ部２０を切り替えて、ユーザに指定された再生ソース８４を選択させる（ステップＳ４）。そして、アンプ部２３の増幅率を変更して所定の再生ボリュームに調整した後（ステップＳ５）、再生ソース８４が内蔵メモリ９であるか否かを判定する（ステップＳ６）。
【００５０】
タイマ再生制御部７は、再生ソース８４が内蔵メモリ９であると判定すると（ステップＳ６；ＹＥＳ）、タイマ再生リスト７０（おはようリスト５０又はおやすみリスト６０）のパスで指定されたコンテンツファイルを再生順にプレイリストフォルダ３０から読み出して再生する（ステップＳ７）。このとき、タイマ再生開始機能でればおはようリスト５０を、タイマ再生停止機能でればおやすみリスト６０を読み出す。
【００５１】
そして、時計部８が計時する時刻がタイマ終了時刻（再生開始時刻８２又スリープボタンが押下された時刻に再生時間８３を加算した時刻）を経過したと判定した場合には（ステップＳ８；ＹＥＳ）、その再生を終了して（ステップＳ１７）、オーディオプレーヤ１の電源をＯＦＦにする（ステップＳ１８）。
【００５２】
また、ステップＳ６において再生ソース８４が内蔵メモリ９ではないと判定すると（ステップＳ６；ＮＯ）、次いで、自動録音フラグ８５がＯＮに設定されているか否かを判定する（ステップＳ９）。タイマ再生制御部７は、自動録音フラグ８５がＯＮに設定さていると判定すると（ステップＳ９；ＹＥＳ）、内蔵メモリ９への録音を開始し（ステップＳ１０）、再生ソース８４が示す再生部からのコンテンツの再生を開始する（ステップＳ１１）。
【００５３】
そして、例えば、再生ソース８４がＣＤ再生部１１やＭＤ再生部１２を示す場合には、１トラック分の再生を検知して、１トラック分のコンテンツファイルを内蔵メモリ９に記憶してその録音を終了し（ステップＳ１２）、録音したコンテンツファイルのパスをタイマ再生リストに追加記憶する（ステップＳ１３）。
【００５４】
尚、例えば、再生ソース８４がチューナ再生部１０を示す場合には、タイマ終了時刻までの一定時間の音声をコンテンツファイルとして記憶して、そのパスをタイマ再生リスト７０に登録することとしてもよい。
【００５５】
このような制御により、タイマ再生機能やスリープタイマ機能等のタイマ機能による再生の際に、再生ソース７４がＣＤ再生部１１やＭＤ再生部１２である場合には、自動的に音声を録音して、タイマ再生リストに登録していくこととなる。従って、次回のタイマ機能による再生時には、ＣＤやＭＤを装填することなく、ユーザがタイマ機能時に再生出力したコンテンツと同一のコンテンツを内蔵メモリ９から再生することができるようになる。
【００５６】
ステップ９において自動録音フラグ７５がＯＮではないと判定すると（ステップＳ９；ＮＯ）、再生ソース７４で示される再生部による再生を開始し、タイマ終了時刻まで待機する（ステップＳ１６）。
【００５７】
タイマ再生制御部７は、ステップＳ１０〜Ｓ１３による再生ソース８４の録音やステップＳ１５の再生ソース８４の再生を行いながら、時計部８が計時する時刻がタイマ終了時刻を経過したと判定した場合には（ステップＳ１４又はＳ１６；ＹＥＳ）、その再生を終了して（ステップＳ１７）、オーディオプレーヤ１の電源をＯＦＦにする（ステップＳ１８）。
【００５８】
以上、第１実施形態によれば、タイマ再生開始機能やタイマ再生停止機能等によるタイマ機能によって再生制御するコンテンツを録音し、そのコンテンツをタイマ再生リスト７０に記憶するため、ユーザが起床時や就寝時に再生したコンテンツがおはようリスト５０やおやすみリスト６０に登録されていく。このため、一旦ＣＤやＭＤから再生したコンテンツが自動的にタイマ再生リスト７０に登録されていくため、次回からのタイマ機能の利用時には、ＣＤやＭＤを装填する必要がなくなる。従って、複雑な設定操作を行うことなく簡便な操作でユーザの嗜好に合ったコンテンツを再生リストに登録することができる。
【００５９】
尚、第１実施形態においてタイマ再生リスト７０には、コンテンツファイルのパスを記憶することとして説明したが、そのパスと共にコンテンツのＩＳＲＣ（International Standard Recording Code；国際標準レコーディングコード）を記憶することとしてもよい。これにより、ＣＤやＭＤからコンテンツを内蔵メモリ９に録音する際に、そのＩＳＲＣを検索することで、一度録音したコンテンツを重複して録音しないようにすることができる。
【００６０】
〔第２実施形態〕
次に、オーディオプレーヤ１の第２実施形態について説明する。尚、上述した第１実施形態と同一の構成要素には、同一の符号を付して、その説明及び図示を省略する。
【００６１】
図５は、第２実施形態におけるタイマ再生リスト７０の模式図である。図５によれば、タイマ再生リスト７０には、コンテンツファイルのパスが再生順に格納されている。また、タイマ再生リスト７０には、時刻情報７５が記憶されている。同図において、時刻情報７５は、ＡＭ６：００からＡＭ８：００として設定しており、現在時刻がこの時刻情報７５の時刻に含まれる場合、タイマ再生制御部７は、再生を行うリストとしてタイマ再生リスト７０を内蔵メモリ９から読み出し、当該リストに基づいてコンテンツファイルの再生制御を行う。
【００６２】
なお、時刻情報７５は、操作入力部２５を介してユーザ自身の手により所望する時刻を設定することもできるが、本実施の形態では、後述するタイマ処理で設定された所定時刻に基づいて自動的に設定されることができるようになっている。即ち設定された所定時刻を基準として前後１時間の幅を持たせて時刻情報５５を記憶するようになっている。尚、時間の幅は適宜設定可能である。
【００６３】
次に、タイマ処理について図６から図９に示すフロー図を用いてより詳細に説明する。タイマ処理では、所定時刻にコンテンツの再生を開始する「タイマ再生開始処理」と、所定時間後もしくは所定時刻にコンテンツの再生を停止する「タイマ再生停止処理」との２種類の処理を可能とする。先ず、タイマ再生開始処理について説明する。尚、以下の処理は、制御プログラムの指示に従ってタイマ再生制御部７をはじめとした各制御機能部によって実行される。
【００６４】
[タイマ再生開始処理]
先ず、タイマ再生制御部７は、操作入力部２５を介してユーザから入力される操作信号に基づいて、コンテンツの再生を開始する再生開始時刻８２を記憶し、メモリに設定する（ステップＳ１０１）。
【００６５】
そして、その再生開始時刻８２に再生を開始するコンテンツの自動設定を行うか否かについて判断する（ステップＳ１０２）。即ち、タイマ再生制御部７は、ユーザからの指示に基づいて、ＣＤ再生部１１に装填されたＣＤやＭＤ再生部１２に装填されたＭＤ又は内蔵メモリ９に記録されたコンテンツファイルを再生対象のコンテンツとするか、あるいは再生開始時刻８２に対応したおはようリスト５０に登録されたコンテンツファイルをその再生対象とするか否かの判断を行う（ステップＳ１０２）。
【００６６】
タイマ再生制御部７は、ＣＤやＭＤのコンテンツ又は既に内蔵メモリ９に記憶されているコンテンツファイルを再生対象のコンテンツとすると判断した場合（ステップＳ１０２；ＮＯ）、ステップＳ１０３の処理に進み、再生開始時刻８２に対応したおはようリスト６０に登録されたコンテンツファイルを再生対象とすると判断した場合（ステップＳ１０２；ＹＥＳ）、ステップＳ１０９の処理に進む。
【００６７】
ステップＳ１０３においてタイマ再生制御部７は、ユーザからの指示に基づき、所定時刻に再生を開始するコンテンツの設定を行う。より詳細には、タイマ再生制御部７は、ＣＤ、ＭＤ又は内蔵メモリ９に記憶されたコンテンツのいずれを再生対象とするかをユーザに促す案内表示を行い、この案内に従いユーザが操作入力部２５を介して指定したコンテンツを再生対象として設定する。
【００６８】
例えば、ＣＤやＭＤであれば、何曲目（何クラスタ目）に記憶されているコンテンツ（音声データ）であるかを選択させる案内を表示する。また、内蔵メモリ９であれば、そのメモリに記憶されているコンテンツファイルのファイル名や楽曲のタイトル、アーティスト名を表示するとともに、ユーザに対し再生開始時刻８２再生開始するコンテンツの選択を促す案内を表示し、ユーザの操作に応じて再生対象のコンテンツを設定する。
【００６９】
尚、設定するコンテンツは１つに限らず、複数選択可能にするのが好ましい。更に、ＣＤ再生部１１等を再生元とする場合は、コンパクトディスクに格納された全ての音声データを再生するようにしてもよいし、音声データファイルデコード／再生部１３を再生元とする場合は、第１フォルダ３５又は第２フォルダ３６のいずれかのフォルダを選択可能とし、選択されたフォルダに格納されたコンテンツファイルを全て再生するように設定してもよい。
【００７０】
タイマ再生制御部７は、ステップＳ１０１で設定した再生開始時刻８２を時刻情報７５に含むおはようリスト５０が内蔵メモリ９に記憶されているか否かの判断を行い、そのおはようリスト５０が記憶されている場合は（ステップＳ１０４：ＮＯ）、ステップＳ１０５の処理に進む。また、該当するおはようリスト５０が内蔵メモリ９に記憶されていない場合は（ステップＳ１０４：ＹＥＳ）、ステップＳ１０６の処理に進む。
【００７１】
タイマ再生制御部７は、ステップＳ１０５においておはようリスト５０を作成する「タイマ再生リスト作成処理」を行う。即ち、再生開始時刻８２に対応するおはようリスト５０がない場合には、おはようリスト５０を新たに生成し、ステップＳ１０３で指定されたコンテンツファイルを当該おはようリスト５０に登録する処理を行う。
【００７２】
また、ステップＳ１０６においてタイマ再生制御部７はおはようリスト５０にコンテンツファイルを追加する「タイマ再生リスト追加処理」を行う。即ち、タイマ再生制御部７は、内蔵メモリ９に既に格納したおはようリスト５０を参照し、ステップＳ１０３で指定されたコンテンツファイルが登録されていない場合に、当該コンテンツファイルのパスを追加登録する処理を行う。
【００７３】
タイマ再生制御部７は、ステップＳ１０６又はＳ１０７の処理後、時計部８から入力される現在時刻情報を監視し、ステップＳ１０１で設定した再生開始時刻８２と一致するまで待機する（ステップＳ１０８；ＮＯ）。そして、一致する場合は（ステップＳ１０８：ＹＥＳ）、おはようリスト５０を参照し、再生制御部４に指示信号を出力し、音声データファイルデコート／再生部１３に所定のコンテンツファイルを再生させ、スピーカ２７を通じて音声の出力を行わせる。以上が、ステップＳ１０２で、再生するコンテンツをユーザ自身が指定する場合の処理の流れである。
【００７４】
これに対し、ステップＳ１０２において、再生するコンテンツを自動設定すると判断した場合（ステップＳ１０２：ＹＥＳ）、タイマ再生制御部７は、内蔵メモリ９におはようリスト５０が記憶されているか否かを判断する（ステップＳ１０７）。ここで、おはようリスト５０が格納されていない場合は（ステップＳ１０７：ＮＯ）、図６のフローを終了する。
【００７５】
また、おはようリスト５０が格納されている場合は（ステップＳ１０７：ＹＥＳ）、ステップＳ１０８に処理を移行し、時計部８から出力される現在時刻情報を監視し、ステップＳ１０１で設定した再生開始時刻８２と一致する場合に（ステップＳ１０７；ＹＥＳ）、おはようリスト５０に登録されたコンテンツファイルのパスに従い、当該パスに該当するコンテンツファイルの再生制御を実行させ、スピーカ２７から音声の出力を行う（ステップＳ１０８〜Ｓ１０９）。
【００７６】
[タイマ再生停止処理]
次いで、[タイマ再生停止処理]について図７を参照して説明する。タイマ再生停止処理は、ユーザの設定した再生停止時刻の経過をもってコンテンツの再生を停止する処理であり、一般に、就寝時に使用される場合が多い。以下の説明では、所定時刻に再生中のコンテンツを停止させる処理例について述べるが、所定時間経過後に再生中のコンテンツを停止させる処理も基本的な処理は共通する。
【００７７】
図７において、タイマ再生制御部７は、先ず、操作入力部２５を介して入力される操作信号に基づいて、コンテンツの再生を停止する再生停止時刻の設定を行う（ステップＳ２０１）。そして、その再生停止時刻に再生を停止するコンテンツの自動設定を行うか否かについて判断する（ステップＳ２０２）。
【００７８】
即ち、タイマ再生制御部７は、ＣＤ再生部１１に装填されたＣＤやＭＤ再生部１２に装填されたＭＤ又は内蔵メモリ９からのコンテンツを再生対象のコンテンツとするか、あるいはおやすみリスト６０に既に登録されているコンテンツファイルを再生対象のコンテンツとするか否かの判断を行う。
【００７９】
タイマ再生制御部７は、ＣＤやＭＤ、内蔵メモリ９からのコンテンツを再生対象のコンテンツとして指定すると判断した場合（ステップＳ２０２；ＮＯ）、ステップＳ２０３の処理に進み、再生停止時刻を含む時刻情報７５が対応付けられたおやすみリスト６０に登録されたコンテンツファイルを再生対象のコンテンツにすると判断した場合（ステップＳ２０２；ＹＥＳ）、ステップＳ２０８の処理に進む。
【００８０】
ステップＳ２０３においてタイマ再生制御部７は、ユーザからの指示に基づいてコンテンツの指定を行う（ステップＳ２０４）。より詳細には、タイマ再生制御部７は、ＣＤ、ＭＤ又は内蔵メモリ９からのコンテンツのいずれを再生対象のコンテンツとするかをユーザに促す案内表示を行い、この案内に従い、操作入力部２５を介してユーザから指定されたコンテンツを再生対象のコンテンツとして設定する。
【００８１】
そして、タイマ再生制御部７は、その指定されたコンテンツの再生を行い（ステップＳ２０４）、再生停止時刻に対応するおやすみリスト６０が内蔵メモリ９に記憶されているか否かの判断を行う（ステップＳ２０５）。即ち、内蔵メモリ９に、再生停止時刻を含む時刻情報７５に対応するおやすみリスト６０が記憶されている場合は（ステップＳ２０５：ＹＥＳ）、ステップＳ２０７の処理に進む。また、そのおやすみリスト６０が内蔵メモリ９に記憶されていない場合は（ステップＳ２０５：ＮＯ）、ステップＳ２０６の処理に進む。
【００８２】
ステップＳ２０６においてタイマ再生制御部７は、おやすみリスト６０を作成するタイマ再生リスト作成処理を行う。即ち、タイマ再生制御部７は、おやすみリスト６０を新たに生成し、ステップＳ２０３で指定されたコンテンツをおやすみリスト６０に登録する処理を行う。
【００８３】
一方ステップＳ２０７においてタイマ再生制御部７は、おやすみリスト６０にコンテンツを追加登録するタイマ再生リスト追加処理を行う。即ち、タイマ再生制御部７は、内蔵メモリ９に既に記憶されているおやすみリスト６０に指定されたコンテンツファイルのパスが登録されていない場合に、当該コンテンツファイルのパスを追加登録する処理を行う。
【００８４】
そして、ステップＳ２０６又はＳ２０７の処理後、タイマ再生制御部７は、時計部８から入力される現在時刻情報を監視し、ステップＳ２０１で設定した再生停止時刻と一致するか否かを判断し、一致する場合には（ステップＳ２１０；ＹＥＳ）、再生中のコンテンツを停止させる（ステップＳ２１１）。また、再生停止時刻と一致しない場合は（ステップＳ２１０；ＮＯ）、コンテンツの再生を継続する。
【００８５】
また、ステップＳ２０２において、再生するコンテンツを自動設定すると判断した場合（ステップＳ２０２：ＮＯ）、タイマ再生制御部７は、内蔵メモリ９に再生停止時刻を含む時刻情報７５に対応するおやすみリスト６０があるか否かを判断する（ステップＳ２０８）。そして、そのおやすみリスト６０がないと判断した場合は（ステップＳ２０８；ＮＯ）、本フローを終了し、おやすみリスト６０があると判断した場合は（ステップＳ２０８；ＹＥＳ）、ステップＳ２０９の処理に進む。
【００８６】
ステップＳ２０９においてタイマ再生制御部７は、再生制御部４に指示信号を入力し、おやすみリスト６０に記憶された再生順のパスに基づいてコンテンツファイルの再生を行う。そして、ステップＳ２１０に処理を移行して、時計部８から出力される現在時刻情報を監視し、再生停止時刻と現在時刻が一致した場合には、その再生を停止する（ステップＳ２１０〜Ｓ２１１）。  
【００８７】
次に、上述したタイマ再生リスト作成処理及びタイマ再生リスト追加処理について図８及び図９のフロー図を用いて詳細に説明する。
【００８８】
[タイマ再生リスト作成処理]
図８のタイマ再生リスト作成処理において、タイマ再生制御部７は、おはようリスト５０やおやすみリスト６０のタイマ再生リスト７０を作成し（ステップＳ３０１）、そのタイマ再生リスト７０に、図６のステップＳ１０１や図７のステップＳ２０１で設定された再生開始時刻医や再生停止時刻の時刻情報７５を作成したタイマ再生リスト７０に記憶する（ステップＳ３０２）。
【００８９】
そして、ステップＳ１０３やＳ２０３で指定されたコンテンツの再生ソースが内蔵メモリ９である否かの判断を行う（ステップＳ３０３）。これは、ＣＤやＭＤからコンテンツを再生する場合は、先ずそのコンテンツの録音を行い所定形式の音声データを作成する必要があるためである。
【００９０】
タイマ再生制御部７は、指定されたコンテンツの再生ソースが内蔵メモリ９であると判断した場合（ステップＳ３０３；ＹＥＳ）、ステップＳ３０４の処理に進み、ＣＤ又はＭＤの外部メディアであると判断した場合（ステップＳ３０３；ＮＯ）、ステップＳ２０５の処理に進む。
【００９１】
ステップＳ３０４においてタイマ再生制御部７は、指定されたコンテンツファイルのパスをおはようリスト５０やおやすみリスト６０のタイマ再生リスト７０に登録する（ステップＳ３０４）。一方、ステップＳ３０５においては、ＣＤ又はＭＤの指定されたトラックのコンテンツの録音処理を開始して、コンテンツファイルを作成して内蔵メモリ９に記憶する（ステップＳ３０５）。そして、タイマ再生制御部７は、その作成したコンテンツファイルのパスをタイマ再生リスト７０に記憶しタイマ再生リスト作成処理を終了する。
【００９２】
［タイマ再生リスト追加処理］
次に、図９のタイマ再生リスト追加登録処理について説明する。先ず、タイマ再生制御部７は、図６のステップＳ１０３や図７のステップＳ２０３で指定されたコンテンツの再生ソースが内蔵メモリ９あるか否かの判断を行う（ステップＳ４０１）。そして、その再生ソースが内臓メモリ９である場合は（ステップＳ４０１：ＹＥＳ）、ステップＳ４０２の処理に進みＣＤ又はＭＤの外部メディアである場合は（ステップＳ４０１:ＮＯ）、ステップＳ４０４の処理に進む。
【００９３】
ステップＳ４０２においてタイマ再生制御部７は、タイマ再生リスト７０を参照し、指定されたコンテンツファイルのパスと同一のパスが既に登録されているか否かを判断し、登録されている場合は（ステップＳ４０２；ＹＥＳ）、本フローを終了し、同一のパスが登録されていない場合は（ステップＳ４０２；ＮＯ）、その指定されたコンテンツファイルのパスをタイマ再生リスト７０に追加記憶し、本処理を終了する。
【００９４】
一方、ステップＳ４０４においてタイマ再生制御部７は、再生制御部４及び録音制御部５に指示信号を入力し、ＣＤ又はＭＤの指定されたトラックのコンテンツの録音を開始し、所定のデータ形式でコンテンツファイルを作成し内蔵メモリ９に記憶する（ステップＳ４０４）。そして、その作成したコンテンツファイルのパスをタイマ再生リスト７０に追加記憶し（ステップＳ４０５）、本フローを終了する。
【００９５】
以上、第２実施形態によれば、一度タイマ再生用として設定したコンテンツのパスを時刻情報７５と対応付けておはようリスト５０やおやすみリスト６０のタイマ再生リスト７０に登録するため、ユーザがタイマ再生開始機能やタイマ再生停止機能により再生するコンテンツを自動的に登録することができる。
【００９６】
特に、ＣＤやＭＤ等の外部メディアからのコンテンツを再生対象のコンテンツとして選択しても、自動的にコンテンツファイルを作成して登録するため、次回からはＣＤやＭＤ等の外部メディアをオーディオプレーヤ１に装填することなく簡便にコンテンツの再生を行うことができる。また、時刻情報７５と対応付けてタイマ再生リスト７０を作成するため、所望のタイマ機能により再生するコンテンツを容易に登録することができる。
【００９７】
以上、本発明を実施するための最良の形態について説明したが、本発明によれば、タイマ機能においてーザが再生するコンテンツを自動的に再生リストとしてリスト化することができるため、ユーザインターフェース等で煩雑は設定を行うことなく容易に登録することができる。に、この再生リストと時刻情報とが対応付けられるため、ユーザは所望の時刻（時間）を設定するのみで所望するコンテンツを再生させることができる。
【００９８】
特に、オーディオプレーヤ１では、タイマ処理で再生させるコンテンツとして、ＣＤやＭＤといった外部メディアから再生されるコンテンツをも自動的にリスト化することができる。このため、ユーザの嗜好によりかなったコンテンツのデータベースを構築することができ、タイマ処理においてユーザの嗜好に沿ったコンテンツの再生を簡便な操作で再生することができるという優れた効果を奏する。
【００９９】
なお、本発明は上記種々の例に限定されるものではなく、機器の仕様等に応じて適宜設計変更を行うことができる。特に、上記実施の形態ではおはようリスト５０等に音声データファイルのパスを記録する構成としたが、例えば、図１０に示すように、おはようリストフォルダ５１やおやすみリストフォルダ６１といった具合にリストフォルダを設け、このフォルダ内にコンテンツファイルのコピーや移動を行う構成としてもよい。
【０１００】
その一例としては、指定されたコンテンツファイルがコンテンツファイルＡ、Ｄ、Ｆである場合、おはようリストフォルダ５１にそれらのファイルをコピーしてコンテンツファイルａ５２、ｄ５３を作成し、おやすみリストフォルダ６１にコンテンツファイルｆ６２
を作成するようにしてもよい。
【０１０１】
また、おはようリスト５０やおやすみリスト６０に登録できるコンテンツの数に制限を設ける構成にしてもよい。即ち、コンテンツの登録数を超える場合、最も過去に登録したコンテンツファイル（のパス）を削除して新たなコンテンツファイルを追加登録してもよい。これによりリスト内のコンテンツが適宜更新されるという効果がある。
【０１０２】
また、内蔵メモリ９は、オーディオプレーヤ１の内部に固設されている例を示したが、プレーヤ本体と差替え可能な携行型のメモリであってもよい。この場合、おはようリスト５０やおやすみリスト６０も同時に携行可能となり、仕様を共通にする他のオーディオプレーヤ等でオーディオプレーヤ１と同様のタイマ処理を実行することができ、更に利便性が向上するという効果がある。
【０１０３】
また、上記実施の形態では、オーディオプレーヤ１に搭載する再生モジュールとしてＣＤ再生部１１とＭＤ再生部１２を適用した例を示したが、これ以外にもＤＶＤ再生モジュール、ＤＶＤオーディオ再生モジュール、ＤＡＴ（Digital Audio Tape）再生モジュール、磁気テープ再生モジュール等を適用することもできる。
【図面の簡単な説明】
【０１０４】
【図１】メモリ内蔵型オーディオプレーヤの構成を示したブロック図。
【図２】コンテンツファイル及びおはようリスト並びにおやすみリストの記録態様の一例を示した模式図。
【図３】第１実施形態における（ａ）は、タイマ再生リスト、（ｂ）はタイマ再生設定情報のデータ構成例を示す模式図。
【図４】第１実施形態におけるメモリ内蔵型オーディオプレーヤのタイマ処理を示したフローチャート。
【図５】第２実施形態におけるタイマ再生リストのデータ構成例を示す模式図。
【図６】第２実施形態におけるタイマ再生開始処理を示したフローチャート。
【図７】第２実施形態におけるタイマ再生停止処理を示したフローチャート。
【図８】第２実施形態におけるタイマ再生リスト作成処理を示したフローチャート。
【図９】第２実施形態におけるタイマ再生リスト追加処理を示したフローチャート。
【図１０】変形例におけるコンテンツファイル及びおはようリスト並びにおやすみリストの記録態様の一例を示した模式図。
【符号の説明】
【０１０５】
１  メモリ内蔵型オーディオプレーヤ
２  制御部
３  ＵＩ（User Interface）制御部
４  再生制御部
５  録音制御部
６  セレクタ制御部
７  タイマ再生制御部
８  時計部
９  内蔵メモリ
１０  チューナ再生部
１１  ＣＤ再生部
１２  ＭＤ再生部
１３  音声ファイルデコード／再生部
２０  音声信号セレクタ
２１  コンテンツ管理部
２２  音声ファイルエンコード部
２３  アンプ部
２５  操作入力部
２６  表示部
２７  スピーカ
２８  電源
４０、４１、４２、４３、４４、４５、４６  コンテンツファイル
５０  おはようリスト
６０  おやすみリスト
【図１】
2008103045.tif 000003
【図２】
2008103045.tif 000004
【図３】
2008103045.tif 000005
【図４】
2008103045.tif 000006
【図５】
2008103045.tif 000007
【図６】
2008103045.tif 000008
【図７】
2008103045.tif 000009
【図８】
2008103045.tif 000010
【図９】
2008103045.tif 000011
【図１０】
2008103045.tif 000012